(57)【要約】【課題】化粧品等を収納して販売に供するための、開封容易な吊下げ式包装箱を提供する。【解決手段】前板、一対の側板、後板、底板、蓋板、及び後板の後ろに重ねる吊下げ板からなる箱体であって、一方の側板に該蓋板及び差込片を順次連設し、該前板及び該後板の上辺にそれぞれ折曲片を設け、該折曲片を内側へ折り曲げ、該蓋板を閉じ、該蓋板に連設した該差込片を他方の側板と該折曲片の間に差し込むように構成された包装箱である。【選択図】図５
2008013240.tif 000002
【特許請求の範囲】
【請求項１】
前板、一対の側板、後板、底板、蓋板、及び後板の後ろに重ねる吊下げ板からなる箱体であって、一方の側板に該蓋板及び差込片を順次連設し、該前板及び該後板の上辺にそれぞれ折曲片を設け、該折曲片を内側へ折り曲げ、該蓋板を閉じ、該蓋板に連設した該差込片を他方の側板と該折曲片の間に差し込むように構成された包装箱。
【請求項２】
蓋板の先端辺に指掛け片を突設した請求項１に記載の包装箱。
【請求項３】
他方の側板の上辺近傍であって、蓋板に突設した指掛け片に対向する位置に、切欠き部を設けた請求項２に記載の包装箱。
【請求項４】
合成樹脂シートからなる請求項１〜３のいずれかに記載の包装箱。
【発明の詳細な説明】
【技術分野】
【０００１】
本発明は包装箱に関し、詳しくは、化粧品等を収納して販売に供するための、開封容易な吊下げ式包装箱に関する。
【背景技術】
【０００２】
化粧品、化粧下地剤、医薬品等の販売においては、合成樹脂シートや板紙からなる吊下げ式包装箱が多く利用されている。
図１は、従来の吊下げ式包装箱の一例を示す斜視図である。図１に示すように、従来の吊下げ式包装箱は、前板１、一対の側板２、２’、後板３及び底板４を備え、前板１の上辺に蓋板５及び差込片６を順次連設し、側板２、２’の上辺に折曲片７、７’を設け、折曲片７、７’を内側へ折り曲げ、蓋板５を閉じ、蓋板５に連設した差込片６を後板３と折曲片７、７’の隙間に差し込んで封止し、後板３の上辺に延設した吊下げ片８に穿設した吊下げ穴９を利用して、店頭で吊り下げ状態で使用されている。
このような包装箱は、閉蓋状態においては、蓋板５が吊下げ片８に接しているために、蓋板５と吊下げ片８の間に指を差し込みにくく、蓋板５を開けずらいという問題があった。
【０００３】
吊下げ式包装箱の開封を容易にするため、蓋板に連設する差込片に摘み片を設けた包装箱（例えば、特許文献１参照）が提案されている。しかしながら、特許文献１の包装箱は、摘み片が吊下片に重なるように接しているため取扱いにくく、またその構造上、開封するのにかなりの力を要するという問題があった。
【０００４】
【特許文献１】特開２００１−２７８２４９号公報
【発明の開示】
【発明が解決しようとする課題】
【０００５】
本発明は、化粧品等を収納して販売に供するための、開封容易な吊下げ式包装箱を提供することを課題とする。
【課題を解決するための手段】
【０００６】
本発明は、前板、一対の側板、後板、底板、蓋板、及び後板の後ろに重ねる吊下げ板からなる箱体であって、一方の側板に該蓋板及び差込片を順次連設し、該前板及び該後板の上辺にそれぞれ折曲片を設け、該折曲片を内側へ折り曲げ、該蓋板を閉じ、該蓋板に連設した該差込片を他方の側板と該折曲片の間に差し込むように構成された包装箱、を提供する。
【発明の効果】
【０００７】
本発明によれば、化粧品等を収納して販売に供するための、開封容易な吊下げ式包装箱を提供することができる。
【発明を実施するための最良の形態】
【０００８】
本発明の包装箱は、前板、一対の側板、後板、底板、蓋板、及び後板の後ろに重ねる吊下げ板からなる箱体であって、一方の側板に該蓋板及び差込片を順次連設し、該前板及び該後板の上辺にそれぞれ折曲片を設け、該折曲片を内側へ折り曲げ、該蓋板を閉じ、該蓋板に連設した該差込片を他方の側板と該折曲片の間に差し込むように構成されている。
【０００９】
まず図面を参照して、本発明の包装箱について説明する。図２は、本発明の包装箱を構成するブランクの一例を示す展開図である。
図２において、ブランク１０は、合成樹脂シート等を打ち抜いて形成したものであり、矩形状の前板１１の右辺及び左辺には、それぞれ矩形状の左側板１２と右側板１２’が折り線ａ、ｂを介して連接され、前板１１の上辺には、外方向に広がる略台形状の折曲片１７が折り線ｃを介して連接されている。
右側板１２’には、後板１３が折り線ｄを介して連接され、後板１３の上辺には、外方向に広がる略台形状の折曲片１７’が折り線ｅを介して連接されている。
左側板１２には、蓋板１５とそれに連設した差込片１６が折り線ｆを介して連接され、また、吊下げ穴１９を穿設した吊下げ板１８が折り線ｇを介して連接されている。
【００１０】
図２において、右側板１２’の下辺には、底板１４とそれに連設した差込片が折り線ｈを介して連接され、前板１１の下辺には、外方向に広がる略台形状の折曲片が折り線ｉを介して連接され、吊下げ板１８の下辺には、外方向に広がる略台形状の折曲片が折り線ｊを介して連接されている。しかしながら、ブランク１０における、底板１４及び底部の折曲片の構成は、図２に限定されるものではなく、従来公知の構成を採用できる。すなわち、例えば、後板１３の下辺に底板１４を連設し、左側板１２と右側板１２’のそれぞれの下辺に折曲片を連設することもできる。
【００１１】
また、図２に示すように、蓋板１５の先端辺（蓋板１５と差込片１６との連設辺）には指掛け片２１を設け、ブランク１０を組み立てた際に、蓋板１５から突設する指掛け片２１に対向する位置の右側板１２’の上辺近傍に、切欠き部２２を設けることが好ましい。
図３（ａ）は蓋板１５とそれに連設する差込片１６の拡大平面図であり、（ｂ）は蓋板１５に連設する差込片１６を折り曲げた状態の拡大斜視図である。蓋板１５と差込片１６とを連設する辺は、３つの切断線ｍ、ｎ、ｏと２つの半切り線又は山折り線ｐ、ｑにより形成されている。
差込片１６を下に折り曲げると、例えば半切り線ｐ、ｑがヒンジ（支軸）となり、差込片１６が下向きに回動し、切断線ｏにより形成された指掛け片２１が蓋板１５に突設されたように現れる。
【００１２】
指掛け片２１の形態は、指を掛けて開封動作を補助しうる形状、大きさであればよく、特に限定されない。例えば、矩形状、半円状、台形状等に形成することができ、その大きさは包装箱の大きさ、材質、収納時の便宜等を考慮して適宜決定することができる。
指掛け片２１の基端部の幅は、開封動作を容易にする観点から、蓋板１５と差込片１６との連設辺の長さの１０〜３０％とすることが好ましい。また、指掛け片２１の設置位置は、蓋板１５と差込片１６との連設辺の近傍であれば特に制限はないが、開蓋動作を容易にする観点から、蓋板１５と差込片１６との連設片の中央部分、又は中央部分より左右どちらかにずらした部分に設けることが好ましい。
【００１３】
ブランク１０の材質は特に限定されず、合成樹脂シート、板紙、合成紙、合成樹脂シートと板紙、合成紙等からなる積層材等を用いることができ、これらの板材を裁断してブランク１０が形成される。これらの板材の中でも、透明な合成樹脂シートを用いてブランク１０を形成すれば、その商品の優れた外観、模様、色彩等が陳列時に視認できるため、化粧品、化粧下地剤等の販売には特に好適である。合成樹脂シートの素材は特に限定されないが、ポリプロピレン（ＰＰ）、ポリエチレンテレフタレート（ＰＥＴ）、ポリ塩化ビニル（ＰＶＣ）等が好ましい。
【００１４】
ブランク１０の厚さはその材質等により異なるが、取り扱い易さと強度を考慮して適宜決定することができる。例えば、合成樹脂シートの場合は、好ましくは０．１〜０．５ｍｍ、より好ましくは０．２〜０．４ｍｍであり、板紙の場合は、好ましくは０．３〜１ｍｍである。
ブランク１０を折り曲げて包装箱を形成する際の折り線ａ〜ｊ及び半切り線又は山折り線ｐ、ｑは、折り曲げ易さと強度の観点から、好ましくはブランク１０の厚さの４０〜８０％の深さ、好ましくは５０〜７０％の深さの切込み溝を入れるか、又は紙板の場合はエンボス加工により形成することが望ましい。
【００１５】
ブランク１０を組み立てるには、図２に示す各折り線ａ、ｂ、ｄ、ｇで内側にほぼ直角に折り曲げて筒状の胴部を形成し、残余の各折り線で内側にほぼ直角に折り曲げて折曲片１７、１７’、蓋板１５、及び底部を形成し、さらに半切り線又は山折り線ｐ、ｑをほぼ直角に折り曲げて、差込片１６と指掛け片２１を形成する。そして、後板１３を吊下げ板１８の内側に重ねるようにして、その一部又は全部を、接着剤、接着テープ、熱融着等による公知の接合手段により、吊下げ板１８に接合することによって本発明の包装箱を形成することができる。
【００１６】
図４は、本発明の包装箱２０の開蓋状態を示す上部斜視図であり、図５は、本発明の包装箱２０の開蓋又は閉蓋直前の状態を示す上部斜視図である。
図４及び図５に示すように、ブランク１０が組み立てられた本発明の包装箱２０は、蓋板１５とそれに連設した差込片１６が、左側板１２の上辺に連接され、左側板１２の上辺を支軸として右側板１２’の上辺に向かって回動し、開閉するようになっている。そのため、開蓋に際して、従来品のように指を蓋板１５と吊下げ片１８の間に差し込む必要がないため、指の動作が自由となり、蓋板５を容易に開封することができる。
【００１７】
また、図５に示すように、蓋板１５の先端辺（蓋板１５と差込片１６との連設辺）に指掛け片２１を突設し、閉蓋状態で指掛け片２１に対向する右側板１２’の上辺近傍に略半円状、略台形状等の切欠き部２２を設けることが好ましい。このように構成すれば、開蓋時に、指を指掛け片２１に当接して開蓋したり、指で指掛け片２１を摘んだりして開蓋できるため、開蓋動作を更に容易に行うことができる。
【００１８】
このように構成すれば、蓋板１５に連設された差込片１６を、右側板１２’の上辺と折曲片１７、１７’の隙間に差し込んで係止する際に、差込片１６の両端部と折曲片１７、１７’の端部が、蓋板１５と差込片１６との連設辺に設けられた両端の切断線ｍ、ｎの作用と関係して相互に弾性的に変形し、折曲片１７、１７’の下側に入り込んで係合する。そのため、閉蓋時に蓋板１５が確実にロックされ、安易に開蓋しないという効果を発揮する。この効果を高める観点から、切断線ｍ及びｏの長さは、蓋板１５と差込片１６を連設する辺の長さの１０〜２０％とすることが好ましい。
【００１９】
本発明の包装箱は、上記のように構成されているため開封が容易であり、蓋板１５の先端辺に指掛け片２１を突設すれば、開封が更に容易となる。また、右側板１２’の上辺近傍の上部開口を、右側板１２’に向って略凹状に形成すれば、差込片１６の差し込み又は抜き出しが容易となり、かつ閉蓋時に差込片１６が折曲片１７、１７’が係合し、確実にロックされるため、安易な開放が防止できる。
【図面の簡単な説明】
【００２０】
【図１】従来の吊下げ式包装箱の一例を示す斜視図である。
【図２】本発明の包装箱を構成するブランクの一例を示す展開図である。
【図３】（ａ）は蓋板とそれに連設する差込片の拡大平面図であり、（ｂ）は蓋板に連設する差込片１６を折り曲げた状態の拡大斜視図である。
【図４】本発明の包装箱の開蓋状態を示す斜視図である。
【図５】本発明の包装箱の開蓋又は閉蓋直前の状態を示す斜視図である。
【符号の説明】
【００２１】
１、１１：前板
２、２’、１２、１２’：側板
３、１３：後板
４、１４：底板
５、１５：蓋板
６、１６：差込片
７、７’、１７、１７’：折曲片
８、１８：吊下げ片
９、１９：吊下げ穴
１０：ブランク
２０：本発明の包装箱
２１：指掛け片
２２：切欠き部
ａ〜ｊ：折り線
ｐ、ｑ：半切り線又は山折り線
ｍ、ｎ、ｏ：切断線
【産業上の利用可能性】
【００２２】
本発明の包装箱は、開封が容易であり、各種の包装箱として有用である。特に、透明な合成樹脂シートを用いて形成すれば、その商品の優れた外観、模様、色彩等が陳列時に視認できるため、化粧品、化粧下地剤等の吊下げ式包装箱として好適に利用することができる。
【図１】
2008013240.tif 000003
【図２】
2008013240.tif 000004
【図３】
2008013240.tif 000005
【図４】
2008013240.tif 000006
【図５】
2008013240.tif 000007